(57)【特許請求の範囲】
【請求項１】
開放端（５；４４）を有するハウジング（１；４０）と、
前記ハウジング（１；４０）内にスライド自在に装着されて、薬を支持する支持体（７；４６）と、
前記ハウジング（１；４０）内に前記支持体（７；４６）をロックするため、及び、前記支持体が前記開放端（５；４４）を通じて前記ハウジングの外部にスライド移動させられ得るように前記支持体のロックを解除するための第１ロック手段（３１、３２；５９、６０、６１、６２；９１、９２）であって、前記ハウジング（１；４０）に連結される第１ロック部材（３１；５９；９１）と、前記支持体（７；４６）に連結される第２ロック部材（３２；６１）と、を備えており、前記第１及び第２ロック部材が相互に係合可能である第１ロック手段（３１、３２；５９、６０、６１、６２；９１、９２）と、
前記第１ロック手段に作用するように操作可能である少なくとも１つのボタン（１３；５０、５１；８３、８４）であって、前記第１ロック部材（３１；５９；９１）と前記第２ロック部材（３２；６１）との係合を解除するように操作可能な第１ボタン（１３；５０；８３）を備える少なくとも１つのボタン（１３；５０、５１；８３、８４）と、を備える薬の供給用容器であって、
前記第１ロック部材（３１；５９；９１）と前記第２ロック部材（３２；６１）との間の係合を維持する第２ロック手段（２３、３０；６５、６９；８６、８９）と、
前記第１ボタン（１３；５０；８３）を操作することによって前記第１ロック部材（３１；５９；９１）と前記第２ロック部材（３２；６１）との係合を解除することを可能にするために前記第２ロック手段に作用するように操作可能である第２ボタン（１４；５２；８０）と、をさらに備えることを特徴とする薬の供給用容器。
【請求項２】
前記第１ボタン（１３；５０；８３）は、前記第１ロック部材（３１；５９；９１）と前記第２ロック部材（３２；６１）との間の係合を解除するために前記第１ロック部材（３１；５９；９１）に作用するように操作可能であることを特徴とする請求項１に記載の容器。
【請求項３】
前記第２ロック手段（２３、３０；６５、６９；８６、８９）は、前記第２ボタン（１４；５２；８０）が休止位置にある間に前記第１ボタン（１３；５０；８３）を操作しようとする試みがなされた時に前記第１ロック部材（３１；５９；９１）の移動を阻止するように配置構成されることを特徴とする請求項２に記載の容器。
【請求項４】
前記第１ボタン（１３；５０；８３）及び前記第２ボタン（１４；５２；８０）はそれぞれ非平行な方向に操作可能であることを特徴とする請求項１〜３のいずれか１項に記載の容器。
【請求項５】
前記第１ボタン（１３；５０；８３）及び前記第２ボタン（１４；５２；８０）は、前記支持体（７；４６）から独立して操作可能であることを特徴とする請求項１〜４のいずれか１項に記載の容器。
【請求項６】
前記第１ボタン（１３；５０；８３）及び前記第２ボタン（１４；５２；８０）は、互いに対して移動可能なそれぞれ別個の部品の一部であることを特徴とする請求項１〜５のいずれか１項に記載の容器。
【請求項７】
前記第１ボタン（１３；５０；８３）はプッシュボタンであって、前記第２ボタン（１４；５２；８０）はスライドボタンであることを特徴とする請求項１〜６のいずれか１項に記載の容器。
【請求項８】
前記第２ロック手段が、前記第２ボタン（１４）に連結される表面（２３）と、前記第１ロック部材（３１）に連結される止め突起（３０）と、を備えること、前記表面（２３）が、前記第２ボタン（１４）が休止位置にある間に前記第１ボタン（１３）を操作しようとする試みがなされた時に前記止め突起（３０）の移動を阻止するように配置構成されること、及び、前記表面（２３）が、前記第２ボタン（１４）が操作完了位置にあって前記第１ボタン（１３）がその操作完了位置に移動させられる時に前記止め突起（３０）が進入する孔（２４）を備えることを特徴とする請求項１〜７のいずれか１項に記載の容器。
【請求項９】
前記表面（２３）は止め突起（２５）をさらに備えており、前記止め突起（２５）は、前記第２ボタン（１４）が操作されることを妨げるために、前記第１ロック部材（３１）に連結される前記止め突起（３０）の移動が前記表面（２３）によって阻止される中間位置に前記第１ボタン（１３）がある時に、前記第１ロック部材（３１）に連結される前記止め突起（３０）によって移動を阻止されることを特徴とする請求項８に記載の容器。
【請求項１０】
前記第２ロック手段が、前記第２ボタン（５２）に連結される第１歯（６９）と、前記第１ボタン（５０）に連結される第２歯（６５）と、を備えること、前記第２歯（６５）は、前記第１及び第２ボタン（５０、５２）が休止位置にある時に前記第１歯（６９）との噛み合いを解除されるものの、前記第１ロック部材（５９）が記第２ロック部材（６１）に依然として係合する中間位置で前記第１ボタン（５０）の移動を阻止して前記第２ボタン（５２）をロックするために、前記第２ボタン（５２）が休止位置にある間に前記第１ボタン（５０）を操作しようとする試みがなされた時に前記第１歯（６９）と噛み合うこと、並びに、前記第１歯（６９）は、前記第２ボタン（５２）が操作完了位置にあって、従って、前記第１ボタン（５０）がその休止位置から前記第１ロック部材（５９）が前記第２ロック部材（６１）との係合を解除される操作完了位置まで移動させられることを可能にする時に、前記第２歯（６５）の経路上にないことを特徴とする請求項１〜７のいずれか１項に記載の容器。
【請求項１１】
前記第１ボタン（１３；５０；８３）が前記ハウジング（１；４０）の側壁（６；４５）に設けられること、前記少なくとも１つのボタン（１３；５０、５１；８３、８４）が、前記ハウジング（１；４０）の対向する別の側壁（６；４５）に設けられる第３ボタン（１３；５１；８４）をさらに備えること、前記第１ロック手段（３１、３２；５９、６０、６１、６２；９１、９２）が、前記ハウジング（１；４０）に連結される第３ロック部材（３１；６０；９２）と、前記支持体（７；４６）に連結される第４ロック部材（３２；６２）と、を備えており、前記第３ロック部材（３１；６０；９２）と前記第４ロック部材（３２；６２）とが相互に係合可能であること、並びに、前記第３ボタン（１３；５１；８４）が、前記第３ロック部材（３１；６０；９２）と前記第４ロック部材（３２；６２）との係合を解除するように操作可能であることを特徴とする請求項１〜１０のいずれか１項に記載の容器。
【請求項１２】
前記第３ボタン（１３；５１；８４）は、前記第３ロック部材（３１；６０；９２）と前記第４ロック部材（３２；６２）との間の係合を解除するために前記第３ロック部材（３１；６０；９２）に作用するように操作可能であることを特徴とする請求項１１に記載の容器。
【請求項１３】
前記第１ボタン（１３；５０；８３）及び前記第３ボタン（１３；５１；８４）は操作完了位置に同時にある時にのみ前記支持体（７；４６）のロックを解除するように配置構成されることを特徴とする請求項１１又は１２に記載の容器。
【請求項１４】
前記第３ロック部材（３１；６０）と前記第４ロック部材（３２；６２）との間の噛み合いを維持する第３ロック手段（２３、３０；６６、７０）と、前記第３ボタン（１３；５１）を操作することによって前記第３ロック部材（３１；６０）と前記第４ロック部材（３２；６２）との係合の解除を可能にするために前記第３ロック手段（２３、３０；６６、７０）に作用するように操作可能な第４ボタン（１４ｂ；５２ｂ）と、をさらに備えることを特徴とする請求項１１〜１３のいずれか１項に記載の容器。
【請求項１５】
前記第３ボタン（１３；５１）は、前記第３ロック部材（３１；６０）と前記第４ロック部材（３２；６２）との係合を解除するために前記第３ロック部材（３１；６０）に作用するように操作可能であり、及び、前記第３ロック手段（２３、３０；６６、７０）は、前記第４ボタン（１４ｂ；５２ｂ）が休止位置にある間に前記第３ボタン（１３；５１）を操作しようとする試みがなされた時に前記第３ロック部材（３１；６０）の移動を阻止するように配置構成されることを特徴とする請求項１４に記載の容器。
【請求項１６】
前記第１ボタン（１３；５０）及び前記第３ボタン（１３；５１）はプッシュボタンであって、前記第２ボタン（１４ａ；５２ａ）及び前記第４ボタン（１４ｂ；５２ｂ）はスライドボタンであることを特徴とする請求項１４又は１５に記載の容器。
【請求項１７】
前記第２ボタン（１４ａ；５２ａ）及び前記第４ボタン（１４ｂ；５２ｂ）は前記ハウジング（１；４０）の上壁に設けられていることを特徴とする請求項１６に記載の容器。
【請求項１８】
前記第２ロック手段が、前記第２ボタン（１４ａ）に連結される第１面（２３）と、前記第１ロック部材（３１）に連結される第１止め突起（３０）と、を備えること、前記第１面（２３）が、前記第２ボタン（１４ａ）が休止位置にある間に前記第１ボタン（１３）を操作しようとする試みがなされた時に前記第１止め突起（３０）の移動を阻止するように配置構成されること、前記第１面（２３）が、前記第２ボタン（１４ａ）が操作完了位置にあって前記第１ボタン（１３）がその操作完了位置に移動させられる時に前記第１止め突起（３０）が進入する孔（２４）を備えること、前記第３ロック手段が、前記第４ボタン（１４ｂ）に連結される第２面（２３）と、前記第３ロック部材（３１）に連結される第２止め突起（３０）と、を備えること、前記第２面（２３）が、前記第４ボタン（１４ｂ）が休止位置にある間に前記第３ボタン（１３）を操作しようとする試みがなされた時に前記第２止め突起（３０）の移動を阻止するように配置構成されること、並びに、前記第２面（２３）が、前記第４ボタン（１４ｂ）が操作完了位置にあるとともに前記第３ボタン（１３）がその操作完了位置に移動させられる時に前記第２止め突起（３０）が進入する孔（２４）を備えることを特徴とする請求項１４〜１７のいずれか１項に記載の容器。
【請求項１９】
前記第１面（２３）が、前記第２ボタン（１４ａ）が操作されることを妨げるために、前記第１面（２３）によって前記第１止め突起（３０）の移動が阻止される中間位置に前記第１ボタン（１３）がある時に前記第１止め突起（３０）によって移動を阻止される第３止め突起（２５）をさらに備えること、及び、前記第２面（２３）が、前記第４ボタン（１４ｂ）が操作されることを妨げるために、前記第２面（２３）によって前記第２止め突起（３０）の移動が阻止される中間位置に前記第３ボタン（１３）がある時に前記第２止め突起（３０）によって移動を阻止される第４止め突起（２５）をさらに備えることを特徴とする請求項１８に記載の容器。
【請求項２０】
前記第２ロック手段が、前記第２ボタン（５２ａ）に連結される第１歯（６９）と、前記第１ボタン（５０）に連結される第２歯（６５）と、を備えること、前記第２歯（６５）が、前記第１及び第２ボタン（５０、５２ａ）が休止位置にある時に前記第１歯（６９）との噛み合いを解除されるものの、前記第１ロック部材（５９）が前記第２ロック部材（６１）と依然として係合する中間位置で前記第１ボタン（５０）の移動を阻止して前記第２ボタン（５２ａ）をロックするために、前記第２ボタン（５２ａ）が休止位置にある間に前記第１ボタン（５０）を操作しようとする試みがなされた時に前記第１歯（６９）と噛み合うこと、前記第１歯（６９）が、前記第２ボタン（５２ａ）が操作完了位置にあって、従って、前記第１ボタン（５０）がその休止位置から前記第１ロック部材（５９）が前記第２ロック部材（６１）との係合を解除される操作完了位置まで移動させられることを可能にする時に、前記第２歯（６５）の経路上にはないこと、前記第３ロック手段が、前記第４ボタン（５２ｂ）に連結される第３歯（７０）と、前記第３ボタン（５１）に連結される第４歯（６６）と、を備えること、前記第４歯（６６）が、前記第３及び第４歯（５１、５２ｂ）が休止位置にある時に前記第３歯（７０）との噛み合いを解除されるものの、第３ロック部材（６０）が前記第４ロック部材（６２）と依然として係合する中間位置で前記第３ボタン（５１）の移動を阻止して前記第４ボタン（５２ｂ）をロックするために、前記第４ボタン（５２ｂ）が休止位置にある間に前記第３ボタン（５１）を操作しようとする試みがなされた時に前記第３歯（７０）と噛み合うこと、及び、前記第３歯（７０）が、前記第４ボタン（５２ｂ）が操作完了位置にあって、こうして前記第３ボタン（５１）がその休止位置から前記第３ロック部材（６０）が前記第４ロック部材（６２）との係合を解除される操作完了位置まで移動させられることを可能にする時に、前記第４歯（６６）の経路上にはないことを特徴とする請求項１４〜１７のいずれか１項に記載の容器。
【請求項２１】
前記第２ボタン及び前記第４ボタンは１つの同一のボタン（１４；５２）であることを特徴とする請求項１４〜２０のいずれか１項に記載の容器。
【請求項２２】
前記第２ロック手段（８９）をロックする第３ロック手段（８８、９０）と、前記第２ロック手段（８９）のロックを解除するため、及び、前記第２ボタン（８０）を操作することによって前記第２ロック手段（８９）に作用することを可能にするために前記第３ロック手段（８８、９０）に作用するように操作可能な第３ボタン（８４）と、をさらに備えることを特徴とする請求項１〜１０のいずれか１項に記載の容器。
【請求項２３】
前記第３ロック手段（８８、９０）が、前記第２ロック手段（８９）に連結される第３ロック部材（９０）と、前記第３ボタン（８４）に連結される第４ロック部材（８８）と、を備えること、並びに、前記第３及び第４ロック部材（８８、９０）が、前記第２及び第３ボタン（８０、８４）が休止位置にある時に相互に係合して、前記第３ボタン（８４）を操作することによって相互に係合を解除され得ることを特徴とする請求項２２に記載の容器。
【請求項２４】
前記第３及び第４ロック部材（８８、９０）はそれぞれ歯を備えることを特徴とする請求項２３に記載の容器。
【請求項２５】
前記第１及び第３ボタン（８３、８４）は前記ハウジングの側壁に設けられており、並びに、前記第２ボタン（８０）は前記ハウジングの上壁に設けられていることを特徴とする請求項２２〜２４のいずれか１項に記載の容器。
【請求項２６】
前記第１及び第３ボタン（８３、８４）はプッシュボタンであって、前記第２ボタン（８０）はスライドボタンであることを特徴とする請求項２２〜２５のいずれか１項に記載の容器。
【請求項２７】
前記第１ロック手段が、前記ハウジングに連結される第５ロック部材（９２）と、前記支持体に連結される第６ロック部材と、をさらに備えており、前記第３ボタン（８４）が、操作される時に前記第５ロック部材と前記第６ロック部材との係合を解除するようにも配置構成されることを特徴とする請求項２２〜２６のいずれか１項に記載の容器。
【請求項２８】
前記第３ボタン（８４）は、前記第５ロック部材と前記第６ロック部材との係合を解除するために、操作される時に前記第５ロック部材（９２）に作用するように配置構成されることを特徴とする請求項２７に記載の容器。
【請求項２９】
前記ボタン（１３、１４；５０、５１、５２；８０、８３、８４）はそれぞれ弾性戻し手段（２１、２８；５５、５６、６８）の作用の影響を受けることを特徴とする請求項１〜２８のいずれか１項に記載の容器。
【請求項３０】
前記ボタン（１３、１４；５０、５１、５２；８０、８３、８４）はそれぞれ前記支持体（７；４６）から独立して操作可能であることを特徴とする請求項１〜２９のいずれか１項に記載の容器。
【請求項３１】
前記ボタン（１３、１４；５０、５１、５２；８０、８３、８４）は、互いに対して移動可能であるそれぞれ別個の部品の一部であることを特徴とする請求項１〜３０のいずれか１項に記載の容器。
【請求項３２】
前記支持体（７；４６）に連結されており、前記支持体（７；４６）がそのロック位置にある時に前記ハウジング（１；４０）の前記開放端（５；４４）を塞ぐキャップ（９；４９）をさらに備えることを特徴とする請求項１〜３１のいずれか１項に記載の容器。
【請求項３３】
前記支持体（７；４６）は、前記薬を包含する少なくとも１つのブリスターカード（１０）を支持することを特徴とする請求項１〜３２のいずれか１項に記載の容器。
【請求項３４】
前記少なくとも１つのブリスターカード（１０）のブリスター（８）は、前記支持体（７；４６）がそのロック位置にある時に前記ハウジング（１；４０）内に完全に入れられることを特徴とする請求項３３に記載の容器。
【請求項３５】
前記支持体（７；４６）は、前記薬を包含するとともに並んで配置される複数の分離したブリスターカード（１０）を支持することを特徴とする請求項３３又は３４に記載の容器。
【請求項３６】
前記薬はカプセル状又はタブレット状であることを特徴とする請求項１〜３５のいずれか１項に記載の容器。
【請求項３７】
当該容器は偶数個のタブレットを包含することを特徴とする請求項３６に記載の容器。
【請求項３８】
当該容器は、２〜１４個のタブレットを包含していることを特徴とする請求項１〜３７のいずれか１項に記載の容器。
【請求項３９】
前記薬は、ガンの処置のための薬、即時の中毒作用を有する薬、又は、免疫系への作用を有する薬を包含することを特徴とする請求項１〜３８のいずれか１項に記載の容器。
【請求項４０】
前記薬はクラドリビン又はその派生物を備えることを特徴とする請求項３９に記載の容器。
【請求項４１】
当該容器は札入れサイズであることを特徴とする請求項１〜４０のいずれか１項に記載の容器。
【請求項４２】
当該容器は、１１９ｍｍ〜２２２ｍｍの長さ、５２ｍｍ〜９８ｍｍの幅及び１０ｍｍ〜２１ｍｍの厚さを有することを特徴とする請求項１〜４０のいずれか１項に記載の容器。
【請求項４３】
請求項１〜４２のいずれか１項に記載の容器と薬とを別個に備えるキット。
【請求項４４】
前記薬の取り扱い方に関する情報並びに前記薬の管理及び服用に関する情報を包含する説明書をさらに備えることを特徴とする請求項４３に記載のキット。
【請求項４５】
請求項２１に記載の容器を開ける方法であって、
前記ハウジング（１；４０）を保持する工程と、
前記第２ボタン（１４；５２）を操作する工程と、
前記第２ボタン（１４；５２）がその操作完了位置にある間に前記第１ボタン（１３；５０）及び前記第３ボタン（１３；５１）を操作する工程と、
前記第１ボタン（１３；５０）及び前記第３ボタン（１３；５１）がそれらの操作完了位置にある間に前記支持体（７；４６）を引っ張り出す工程と、を備えることを特徴とする容器を開ける方法。
【請求項４６】
請求項２２〜２８のいずれか１項に記載の容器を開ける方法であって、
前記ハウジングを保持する工程と、
前記第３ボタン（８４）、前記第２ボタン（８０）及び前記第１ボタン（８３）を連続的に操作する工程と、
前記第１及び第３ボタン（８３、８４）がそれらの操作完了位置にある間に前記支持体を引っ張り出す工程と、を備えることを特徴とする容器を開ける方法。
【発明の詳細な説明】
【技術分野】
【０００１】
本発明は、薬の供給用容器に関し、特に、子供用いたずら防止装置付き薬容器に関する。
【背景技術】
【０００２】
タブレット状やピル状、カプセル状などのような固形薬はたいていブリスターカード内に収容されており、前記ブリスターカードは、仕切り空間（ブリスター）を形成する通常はプラスチック材料のシートから構成されており、前記シートの背面にはアルミニウム箔又は箔紙などのようなシーラントフィルムが固着されている。ブリスター内に包含される１投与量の薬は、ブリスターを潰してシーラント箔に穴をあけるためにブリスターを押すことによって放出される。
【０００３】
目を離している時の薬へのアクセスから子供などを守るために、子供用いたずら防止装置付き薬容器が提案されてきており、前記薬容器は、薬を包含するハウジングを備えており、及び、容器を開けるために、子供が普通は実行することができない又は実行しようと考えない一連の操作を必要とする。
【０００４】
特に、国際公開第２００４／３７６５７号パンフレット及び国際公開第２００５／３０６０６号パンフレットは、子供用いたずら防止装置付き薬容器を説明しており、当該薬容器は、ハウジングと、ハウジング内にスライド自在に装着されるもののハウジング内にロックされるブリスターカードと、を備える。ハウジングの上壁に設けられた１つのボタンを押し込むことによって、かつ、前記ボタンが押し込まれている間にブリスターカードを引っ張り出すことによって、ブリスターカードは、ロックを解除されてハウジングの開放端を通じてハウジングから外側にスライド移動させられ得る。
【０００５】
米国特許出願公開第２００７／２８４２７７号明細書は、ハウジングと、ハウジング内にスライド移動自在に装着されるもののハウジング内にロックされるトレイと、を備える子供用いたずら防止装置付き薬容器を説明している。トレイはタブレットを包含している。２つの側面のスライドボタンを同時に押し込んで、次に２つの側面のスライドボタンをスライド移動させることによって、トレイは、ロックを解除されてハウジングの開放端を通じてハウジングから外側にスライド移動させられ得る。
【０００６】
米国特許出願公開第２００４／４５８５８号明細書は、ハウジングと、ハウジング内にスライド自在に装着されるもののハウジング内にロックされるブリスターカードと、を備える子供用いたずら防止装置付き薬容器を説明している。２つの側面のプッシュボタンを同時に押し込んで、次に、ブリスターカードを押し出すために任意選択的なレバーを駆動するか、又は、ブリスターカードの脱落を可能にするために下向きにハウジングを保持することによって、ブリスターカードは、ロックを解除されてハウジングの開放端を通じてハウジングから外側にスライド移動させられ得る。
【０００７】
上述の特許出願で説明された容器は、容器を開けるために２つの連続的な動作のみしか要求されないので、子供に対してそれほど高い安全性を有していない。
【０００８】
米国特許出願公開第２００４／２５６２７７号明細書は、ハウジングと、ハウジング内にスライド自在に装着されるもののハウジング内にロックされるブリスターカードと、を備える子供用いたずら防止装置付き薬容器を説明している。２つの側面のプッシュボタンを押し込んで、続けて側面のプッシュボタンが押し込まれている間にブリスターカードを引っ張り出すことによって、ブリスターカードは、ロックを解除されて、ハウジングの開放端を通じてハウジングから外側に引っ張り出され得る。ブリスターカードの引っ張り出しを可能にするために、ブリスターカードは、開放端を通じてハウジングから外側に突き出ているとともに使用者によって掴まれ得るタブを形成している。この容器は、２つの側面のボタンを同時に押し込むことがやや直感的であって容器を開けるために２つの連続的な動作のみしか要求されないので、子供に対してそれほど高い安全性を有していない。さらに、この容器では、ブリスターカードは常に剥き出しであり、そのことが、許可のない人がナイフなどのような刃でブリスターを開けて薬にアクセスする可能性を残している。
【０００９】
国際公開第２００７／３００６７号パンフレットは、ハウジング及びブリスターカードを備える子供用いたずら防止装置付き薬容器を説明している。ハウジングは、ブリスターカードを常に剥き出しにするようにその上部で開放されており、穴を備える下壁を有している。ブリスターカードは、ブリスターが穴に対してずれるロック位置と、穴を通じた薬の放出を可能にするためにブリスターが穴に対して整列されるロック解除位置と、の間でハウジング内にスライド自在に装着される。２つの指受け止め領域を有する操作部材は、第１位置にある時にブリスターカードをロックし、第２位置にある時にブリスターカードのロックを解除する。操作部材の第１位置から第２位置への移動は、２つの異なる方向に２つの指受け止め領域を連続的に押し込むことによって達成される。操作部材は、その位置とは無関係に、ハウジング内にブリスターカードを保持し続ける。ブリスターカードは常に剥き出しであるので、刃を用いた薬へのアクセスが可能であり、及び従ってこの容器の安全性はあまり高くない。
【００１０】
米国特許第６４６０６９３号明細書は、ハウジングと、ハウジング内にスライド自在に装着されるもののハウジング内にロックされるトレイと、を備える子供用いたずら防止装置付き薬容器を説明している。トレイはブリスターカードを包含している。トレイは、ハウジング内に内側に押し込まれることによって、及び次に、ハウジングの上壁に設けられた１つのボタンを押し込むことによってロックを解除され得る。この容器の欠点は、容器がその後部に巨大なロック／ロック解除機構を必要とすることである。この機構は容器の長さのかなりの部分を顕著に占める。
【００１１】
本発明は、容器のサイズを大幅に増大させることなく子供に対して高い安全性を有することが可能な薬容器を提供することを目的とする。
【発明の概要】
【００１２】
この目的のため、本発明は、薬の供給用容器を提案しており、前記容器は、
開放端を有するハウジングと、
ハウジング内にスライド自在に装着されて、薬を支持する支持体と、
ハウジング内に支持体をロックして、開放端を通じてハウジングの外部に支持体がスライド移動させられ得るように支持体のロックを解除する第１ロック手段であって、ハウジングに連結される第１ロック部材と、支持体に連結される第２ロック部材と、を備えており、前記第１及び第２ロック部材が相互に係合可能である第１ロック手段と、
第１ロック手段に作用するように操作可能である少なくとも１つのボタンであって、第１ロック部材と第２ロック部材とのロックを解除するように操作可能である第１ボタンを備える少なくとも１つのボタンと、を備える容器であって、
当該容器はさらに、
第１ロック部材と第２ロック部材との間の係合を維持する第２ロック手段と、
第１ボタンを操作することによって第１ロック部材と第２ロック部材とのロックの解除を可能にするために第２ロック手段に作用するように操作可能な第２ボタンと、を備えることを特徴とする。
【００１３】
典型的には、第１ボタンは、第１ロック部材と第２ロック部材とのロックを解除するために第１ロック部材に作用するように操作可能である。
【００１４】
第２ロック手段は、第２ボタンが休止位置にある間に第１ボタンを操作しようとする試みがなされた時に第１ロック部材の移動を阻止するように配置構成されてよい。
【００１５】
好都合には、第１及び第２ボタンはそれぞれ非平行な方向に操作可能である。
【００１６】
第１及び第２ボタンは、支持体から独立して、すなわち、支持体の移動を引き起こさずに好適に操作可能である。
【００１７】
第１及び第２ボタンは、互いに対して移動可能であるそれぞれ別個の部品の好適に一部である。
【００１８】
典型的には、第１ボタンはプッシュボタンであって、第２ボタンはスライドボタンである。
【００１９】
実施形態では、第２ロック手段は、第２ボタンに連結される表面と、第１ロック部材に連結される止め突起と、を備えており、前記表面は、第２ボタンが休止位置にある間に第１ボタンを操作しようとする試みがなされた時に前記止め突起の移動を阻止するように配置構成されていて、前記表面は、第２ボタンが操作完了位置にあるとともに第１ボタンがその操作完了位置に移動させられる時に止め突起が進入する孔を備える。
【００２０】
前記表面は、第２ボタンが操作されることを妨げるために、第１ロック部材に連結される止め突起の移動が前記表面によって阻止される中間位置に第１ボタンがある時に、第１ロック部材に連結される前記突起によって移動を阻止される止め突起をさらに備えてよい。
【００２１】
別の実施形態では、第２ロック手段は、第２ボタンに連結される第１歯と、第１ボタンに連結される第２歯と、を備えており、第２歯は、第１及び第２ボタンが休止位置にある時に第１歯との噛み合いを解除されているものの、第１ロック部材が第２ボタンをロックしている間に第２ロック部材に依然として係合する中間位置で第１ボタンの移動を阻止するために、第２ボタンが休止位置にある間に第１ボタンを操作しようとする試みがなされた時に第１歯と噛み合い、及び、第１歯は、第２ボタンが操作完了位置にあって、従って、第１ボタンがその休止位置から第１ロック部材が第２ロック部材との係合を解除される操作完了位置に移動させられることを可能にする時に、第２歯の経路上にない。
【００２２】
好都合には、第１ボタンはハウジングの側壁に設けられており、前記少なくとも１つのボタンは、ハウジングの別の反対側の壁に設けられる第３ボタンをさらに備えており、第１ロック手段はさらに、ハウジングに連結される第３ロック部材と、支持体に連結される第４ロック部材と、を備えており、前記第３ロック部材と前記第４ロック部材とは相互に係合可能であって、第３ボタンは、第３ロック部材と第４ロック部材との係合を解除するように操作可能である。
【００２３】
第３ボタンは、第３ロック部材と第４ロック部材との係合を解除するために第３ロック部材に作用するように操作可能であってよい。
【００２４】
好適には、第１及び第３ボタンは、操作完了位置に同時にある時にのみ支持体のロックを解除するように配置構成される。
【００２５】
容器は、第３ロック部材と第４ロック部材との間の係合を維持する第３ロック手段と、第３ボタンを操作することによって第３ロック部材と第４ロック部材との係合の解除を可能にするために第３ロック手段に作用するように操作可能である第４ボタンと、をさらに備えてよい。
【００２６】
第３ボタンは、第３ロック部材と第４ロック部材との係合を解除するために第３ロック部材に作用するように操作可能であってよく、及び、第３ロック手段は、第４ボタンが休止位置にある間に第３ボタンを操作しようとする試みがなされた時に第３ロック部材の移動を阻止するように配置構成されてよい。
【００２７】
典型的には、第１及び第３ボタンはプッシュボタンであって、第２及び第４ボタンはスライドボタンである。
【００２８】
第２及び第４ボタンはハウジングの上壁に設けられてよい。
【００２９】
ある実施形態では、第２ロック手段は、第２ボタンに連結される第１面と、第１ロック部材に連結される第１止め突起と、を備えており、第１面は、第２ボタンが休止位置にある間に第１ボタンを操作しようとする試みがなされた時に第１止め突起の移動を阻止するように配置構成されており、第１面は、第２ボタンが操作完了位置にあるとともに第１ボタンがその操作完了位置に移動させられる時に第１止め突起が進入する孔を備えており、第３ロック手段は、第４ボタンに連結される第２面と、第３ロック部材に連結される第２止め突起と、を備えており、第２面は、第４ボタンが休止位置にある間に第３ボタンを操作しようとする試みがなされた時に第２止め突起の移動を阻止するように配置構成されており、第２面は、第４ボタンが操作完了位置にあるとともに第３ボタンがその操作完了位置に移動させられる時に第２止め突起が進入する孔を備える。
【００３０】
第１面は、第２ボタンが操作されることを妨げるために、第１止め突起の移動が第１面によって阻止される中間位置に第１ボタンがある時に第１止め突起によって移動を阻止される第３止め突起をさらに備えてよく、及び、第２面は、第４ボタンが操作されることを妨げるために、第２止め突起の移動が第２面によって阻止される中間位置に第３ボタンがある時に第２止め突起によって移動を阻止される第４止め突起をさらに備えてよい。
【００３１】
別の実施形態では、第２ロック手段は、第２ボタンに連結される第１歯と、第１ボタンに連結される第２歯と、を備えており、第２歯は、第１及び第２ボタンが休止位置にある時に第１歯との噛み合いを解除されるものの、第１ロック部材が第２ボタンをロックしている間に第２ロック部材に依然として係合する中間位置で第１ボタンの移動を阻止するために、第２ボタンが休止位置にある間に第１ボタンを操作しようとする試みがなされた時に第１歯と噛み合い、第１歯は、第２ボタンが操作完了位置にあって、従って、第１ボタンがその休止位置から第１ロック部材が第２ロック部材との係合を解除される操作完了位置まで移動させられることを可能にする時に、第２歯の経路上にはなく、第３ロック手段は、第４ボタンに連結される第３歯と、第３ボタンに連結される第４歯と、を備えており、第４歯は、第３及び第４ボタンが休止位置にある時に第３歯との噛み合いを解除されるものの、第３ロック部材が第４ボタンをロックしている間に第４ロック部材に依然として係合する中間位置で第３ボタンの移動を阻止するために、第４ボタンが休止位置にある間に第３ボタンを操作しようとする試みがなされた時に第３歯と噛み合い、及び、第３歯は、第４ボタンが操作完了位置にあって、従って、第３ボタンがその休止位置から第３ロック部材が第４ロック部材との係合を解除される操作完了位置まで移動させられることを可能にする時に、第４歯の経路上にはない。
【００３２】
別の実施形態では第２及び第４ボタンは１つの同一のボタンである。
【００３３】
さらに別の実施形態によれば、容器は、最初に規定されるような第１及び第２ロック手段並びに第１及び第２ボタンに加えて、第２ロック手段をロックする第３ロック手段と、第２ロック手段のロックを解除するため、及び、第２ボタンを操作することによって第２ロック手段に作用することを可能にするために第３ロック手段に作用するように操作可能な第３ボタンと、を備える。
【００３４】
第３ロック手段は、第２ロック手段に連結される第３ロック部材と、第３ボタンに連結される第４ロック部材と、を備えてよく、これらの第３ロック部材と第４ロック部材とは、第２及び第３ボタンが休止位置にある時に相互に係合されて、第３ボタンを操作することによって相互に係合を解除可能である。
【００３５】
典型的には、第３及び第４ロック部材はそれぞれ歯を備える。
【００３６】
第１及び第３ボタンはハウジングの側壁に設けられてよく、並びに、第２ボタンはハウジングの上壁に設けられてよい。
【００３７】
第１及び第３ボタンはプッシュボタンであってよく、並びに、第２ボタンはスライドボタンであってよい。
【００３８】
第１ロック手段は、ハウジングに連結される第５ロック部材と、支持体に連結される第６ロック部材と、をさらに備えてよく、及び、第３ボタンは、操作される時に第５ロック部材と第６ロック部材との係合も解除するように配置構成されてよい。
【００３９】
第３ボタンは、第５ロック部材と第６ロック部材との係合を解除するため、操作される時に第５ロック部材に作用するように配置構成されてよい。
【００４０】
上のすべての実施形態では、様々なボタンは各々、弾性戻し手段の作用の影響を受けてよい。さらに、前記ボタンは各々、支持体から独立して操作可能であってよく、及び、互いに対して移動可能であるそれぞれ別個の部品の一部であってよい。
【００４１】
容器はさらに、支持体に連結されるキャップを備えてよく、前記キャップは、支持体がそのロック位置にある時にハウジングの開放端を塞ぐ。
【００４２】
典型的には、支持体は、薬を包含する少なくとも１つのブリスターカード、例えば薬を包含するとともに並んで配置される複数の分離したブリスターカードを支持する。前記少なくとも１つのブリスターカードのブリスターは、支持体がそのロック位置にある時にハウジング内に好適に完全に入れられる。
【００４３】
薬はカプセル状又はタブレット状であってよい。
【００４４】
好都合には、容器は偶数個のタブレットを包含する。
【００４５】
容器は、２〜１４個のタブレットを包含してよく、好適には６〜１０個のタブレットを包含してよく、最も好適には１０個のタブレットを包含してよい。
【００４６】
本発明に係る容器は、ガンの処置のための薬、即時の中毒作用を有する薬、又は、免疫系への作用を有する薬を包含することに特に適している。
【００４７】
特定の実施形態によれば、薬はクラドリビン又はその派生物を備える。
【００４８】
本発明に係る容器は、典型的に札入れのサイズを有しており、好適には１１９ｍｍ〜２２２ｍｍの長さ、５２ｍｍ〜９８ｍｍの幅、及び、１０ｍｍ〜２１ｍｍの厚さを有する。
【００４９】
本発明は、上で規定されるような容器と薬とを別個に備えるキットをさらに提供する。好適には、キットは、容器の取り扱い方に関する情報並びに薬の管理及び服用に関する情報を包含する例えば別個のシートによる説明書を備える。
【００５０】
本発明はさらに、上で規定されたような容器を開ける方法を提供し、前記容器は、第１及び第３ボタンと、第１及び第３ボタンの移動を阻止する／移動を阻止しない第２ボタンと、を備えており、前記方法は、以下の工程、すなわち、
ハウジングを保持する工程と、
第２ボタンを操作する工程と、
第２ボタンがその操作完了位置にある間に第１及び第３ボタンを操作する工程と、
第１及び第３ボタンがそれらの操作完了位置にある間に支持体を引っ張り出す工程と、を備えることを特徴とする。
【００５１】
本発明はさらに、上で規定されたような容器を開ける方法を提供し、前記容器は、第１ボタンと、第１ボタンの移動を阻止する／阻止しない第２ボタンと、第２ボタンの移動を阻止する／阻止しない第３ボタンと、を備えており、前記方法は、以下の工程、すなわち、
ハウジングを保持する工程と、
第３ボタン、第２ボタン及び第１ボタンを連続的に操作する工程と、
第１及び第３ボタンがそれらの操作完了位置にある間に支持体を引っ張り出す工程と、を備えることを特徴とする。
【００５２】
本発明の他の特徴及び他の利点は、添付の図面を参照してなされた好適な実施形態の以下の詳細な説明を読むことによって明らかになるであろう。
【図面の簡単な説明】
【００５３】
【図１】本発明の第１実施形態に係る子供用いたずら防止装置付き薬容器の開放位置における斜視図である。
【図２】本発明の第１実施形態に係る子供用いたずら防止装置付き薬容器の閉鎖位置における平面図である。
【図３】本発明の第１実施形態に係る子供用いたずら防止装置付き薬容器を開けるために必要とされる一連の操作を示す平面図である。
【図４】本発明の第１実施形態に係る子供用いたずら防止装置付き薬容器を開けるために必要とされる一連の操作を示す平面図である。
【図５】本発明の第１実施形態に係る子供用いたずら防止装置付き薬容器を開閉するための内部機構の概略平面図である。
【図６】前記一連の操作の間の図５の内部機構の連続的な配置を概略的に示す平面図である。
【図７】前記一連の操作の間の図５の内部機構の連続的な配置を概略的に示す平面図である。
【図８】前記一連の操作の間の図５の内部機構の連続的な配置を概略的に示す平面図である。
【図９】本発明の第２実施形態に係る子供用いたずら防止装置付き薬容器の閉鎖位置における下面図である。
【図１０】図９の詳細、すなわち、容器のハウジング上に配置されるロック部材であって、容器のトレイ上に配置されたロック切り欠きに係合するロック部材を示す部分拡大断面図である。
【図１１】図１０のロック部材及びロック切り欠きが相互に係合を解除された位置におけるロック部材及びロック切り欠きを示す部分断面図である。
【図１２】本発明の第２実施形態に係る子供用いたずら防止装置付き薬容器を開閉するための内部機構の下面図であり、休止位置における前記機構が図示されている。
【図１３】本発明の第２実施形態に係る子供用いたずら防止装置付き薬容器を開閉するための内部機構の下面図であり、使用者による誤った開放動作に対応した位置における前記機構が図示されている。
【図１４】本発明の第２実施形態に係る子供用いたずら防止装置付き薬容器を開閉するための内部機構の下面図であり、容器を開けるために使用者によって実行される正しい連続的な動作中の前記機構が図示されている。
【図１５】本発明の第２実施形態に係る子供用いたずら防止装置付き薬容器を開閉するための内部機構の下面図であり、容器を開けるために使用者によって実行される正しい連続的な動作中の前記機構が図示されている。
【図１６】第１及び第２実施形態の変形例に係る子供用いたずら防止装置付き薬容器の平面図である。
【図１７】本発明の第３実施形態に係る子供用いたずら防止装置付き薬容器を開閉するための内部機構を示す下面図であり、休止位置における前記機構が図示されている。
【図１８】本発明の第３実施形態に係る子供用いたずら防止装置付き薬容器を開閉するための内部機構を示す下面図であり、容器を開けるために使用者によって実行される連続的な動作中の前記機構が図示されている。
【図１９】本発明の第３実施形態に係る子供用いたずら防止装置付き薬容器を開閉するための内部機構を示す下面図であり、容器を開けるために使用者によって実行される連続的な動作中の前記機構が図示されている。
【発明を実施するための形態】
【００５４】
図１及び図２を参照すると、本発明の第１実施形態に係る子供用いたずら防止装置付き薬容器は、相互に組み立てられた上側部品及び下側部品から形成されるハウジング１を備える。ハウジング１は概ね平行六面体形状を有しており、及び、ハウジング１は、相互に対向する上壁２及び下壁３と、相互に対向する閉鎖端４及び開放端５と、２つの対向する側壁６と、を備える。ブリスター８を支持するトレイ７は容器の縦軸線Ａに沿ってハウジング１内にスライド自在に案内される。トレイ７は、容器の閉鎖位置に対応するロック位置をとることが可能であり、前記ロック位置でトレイ７はハウジング１の内部にロックされて、そのことがブリスター８へのアクセスを妨げる（図２）。トレイ７は、ロックを解除されることも可能であり、そのとき、ブリスター８へのアクセスを許容するために開放端５を通じてハウジング１の外側に向かってスライド移動させられることが可能である（容器の開放位置：図１）。トレイ７の前端にはキャップ９が連結されている。キャップ９は、トレイ７がそのロック位置にある時に開放端５を塞ぐ。キャップ９はトレイ７と一体品の構造を有してよい。
【００５５】
各ブリスター８は１投与量の固形薬を包含している。トレイ７は、ブリスター８の下に孔（図示されず）を備えており、容器がその開放位置にある時にブリスター８を押し潰すことによって前記孔を通じて１投入量の固形薬が放出されることが可能である。図示された例では、ブリスター８は、対になって配列されており、各対は、トレイ７上に固定された、例えばぱちっと嵌められた分離したブリスターカード１０によって形成されている。ブリスターの対すなわちカード１０は、図１に示されるように、ブリスターの２つの列を形成するように並んで整列されている。ブリスター８のこうした配列は、複数の分離したブリスターカード１０を備えており、薬の量の管理を容易にし、薬の廃棄の低減を可能にする。しかしながら、変形例では従来型と同様に単一のブリスターカードがトレイ７上に供給されてもよい。
【００５６】
ハウジング１は、対向する開口１１を側壁６に含んでおり、及び、上壁２に開口１２を含んでいる。開口１１内にはプッシュボタン１３がそれぞれ設けられており、及び、開口１２内にはスライドボタン１４が設けられている。本発明との関連で、用語「ボタン」は、力を伝達するために指が置かれ得る任意の部分を包含するように広義に理解されるべきである。側面のプッシュボタン１３は、ハウジング１の内部に向かって縦軸線Ａにほぼ垂直に移動させられることによって操作可能である。スライドボタン１４は、縦軸線Ａに沿って移動させられることによって操作可能である。容器を開けるためには、使用者は以下の一連の操作を実行しなければならない。
図３の矢印１５で示されるようにスライドボタン１４を操作する。
次に、スライドボタン１４をその操作完了位置に維持している間に、図４の矢印１６で示されるように側面のプッシュボタン１３を操作する。
次に、側面のプッシュボタン１３をそれらの操作完了位置に維持している間に、矢印１７で示されるようにトレイ７を引っ張り出す。
側面のプッシュボタン１３が操作された時点で、使用者はスライドボタン１４を放してよい。側面のプッシュボタン１３をそれらの操作完了位置に維持することは、トレイ７のロックを解除するためにトレイ７の引っ張り出しの開始時にのみ必要とされる。その後、トレイ７は、プッシュボタン１３を押し込む力を維持しないでハウジング１の外側に向かって自由に移動させられ得る。典型的には、容器は、側面のプッシュボタン１３に力を及ぼす手の親指及び別の指を用いて片手で保持され、もう一方の手の指は上側のスライドボタン１４に力を及ぼし、前記もう一方の手は、上側のスライドボタン１４を放した後にトレイ７を引っ張り出すために使用される。トレイ７がそのロック位置にある時にキャップ９の表面領域１９を露出させて、その結果、トレイ７を掴むことを容易にするため、開放端５で上壁２及び下壁３に凹部１８が設けられている。
【００５７】
こうして、トレイ７のロックを解除してトレイ７を移動させるために、３つの連続的な動作が、決定された順番で、使用者によって実行されなければならないことが理解されるであろう。以下に説明されるように、休止位置にあるスライドボタン１４は、側面のプッシュボタン１３の移動を阻止して、トレイ７が依然としてロックされる中間押し込み位置を越えてプッシュボタン１３が移動することを妨げるので、スライドボタン１４がその操作完了位置にない間に側面のプッシュボタン１３を操作することは不可能である。側面のプッシュボタン１３はそれらの中間押し込み位置でスライドボタン１４の移動を阻止するので、側面のプッシュボタン１３の１つ又は２つに押し込み力が加えられる間にスライドボタン１４を操作することも不可能である。スライドボタン１４を単に操作することは、側面のプッシュボタン１３を解放するもののトレイ７を解放しない。操作された側面のプッシュボタン１３を保持しておく押し込み力と同時のトレイ７の引っ張り出し動作とが、トレイ７の移動を開始させるために必要とされる。側面のプッシュボタン１３がそれらの操作完了位置にある間に容器を下側に単に傾けることによってトレイ７が移動することが不可能なように、トレイ７及びハウジング１の間に摩擦が好適に与えられる。
【００５８】
子供は、一般に、トレイ７のロックを解除してトレイ７を移動させるために必要とされる上述の一連の操作を実行する手の器用さ及び認知経験を有していないであろう。さらに、ハウジング１は、側面のボタン１３を大きな距離で隔てるために十分に幅広にされることが可能であり、その結果、片手で容器を持つこと、及び、スライドボタン１４をその操作完了位置に保持している間に側面のボタン１３を押し込むこと、又は、側面のボタン１３を押し込んでいる間にトレイ７を引っ張り出すことを子供ができないようにする。容器の閉鎖位置では、ブリスター８は、ハウジング１内に完全に入れられており、こうしてアクセスされることが不可能であることにも注目されるべきである。
【００５９】
上述の一連の操作を可能にする内部機構は図５〜図８に概略的に示されている。スライドボタン１４は、プレート２０から突き出てプレート２０に堅固に結合されており、前記プレート２０は、ブリスター８の上方で容器の縦軸線Ａに沿ってハウジング１内でスライド自在に案内される。プレート２０の前端と支持面部２２との間には戻しバネ２１が設けられており、前記支持面部２２は、ハウジング１の上壁２の内面に堅固に結合されている。戻しバネ２１は、図示されるように、プレート２０及びボタン１４と一体品の構造で形成される板バネであってよい。代わりに、戻しバネ２１は、プレート２０の前端と支持面部２２との間に配置される従来型の金属板バネ又はコイルばねであり得る。容器の縦軸線Ａに沿ったプレート２０の２つの側面２３は、対向する孔２４をそれぞれ含んでおり、孔２４とプレート２０の前端との間には止め突起２５をそれぞれ含んでいる。
【００６０】
各側面のプッシュボタン１３は部品２６の一部であり、前記部品２６は、ロック部２７と、プレート２０の対応の側面２３とボタン１３との間で延びるＵ字形に屈曲した戻し板バネ２８と、をハウジング１内に備える。部品２６は、ハウジング１に堅固に結合される部品２９によって保持されている。ロック部２７は、縦軸線Ａに垂直にハウジング１の内部に向かって延びる止め突起３０と、縦軸線Ａに垂直にハウジング１の外部に向かって延びるロック部材３１と、を備える。ロック部材３１は、図５に示されるように、トレイ７をロックするためにキャップ９の対応のロック部材３２に係合する。ロック部材３２は、縦軸線Ａに垂直にハウジング１の内部に向かって延びており、及び、キャップ９のアーム３６の先端に位置決めされている。止め突起３０は２つの機能を有する。第１の機能は、図５に示されるように、プッシュボタン１３が押し込まれるとともにスライドボタン１４がその休止位置にある時に、部品２６及びプッシュボタン１３が、ロック部材３１が依然としてロック部材３２に係合する前述の中間押し込み位置を越えることを妨げるために、言い替えれば、ロック部材３１とロック部材３２との係合が解除されることを妨げるために、プレート２０の対応の側面２３に対して当接することである。第２の機能は、プッシュボタン１３がその中間押し込み位置に保持される間にスライドボタン１４がその操作完了位置に向かって移動させられる時に、止め突起２５の移動を妨げることであり、その結果、スライドボタン１４がその操作完了位置に到達することを妨げる。
【００６１】
プッシュボタン１３がそれらの休止位置にある時、止め突起３０は、止め突起２５の経路を阻止せず、従って、スライドボタン１４の移動を邪魔せず、こうして前記スライドボタン１４は、容器の縦軸線Ａに沿ってその操作完了位置まで移動させられることが可能である。スライドボタン１４がその操作完了位置にある時（図６）、止め突起３０は孔２４に面する。この配置で、側面のプッシュボタン１３が押し込まれれば、止め突起３０は孔２４に進入することになり、図７に示されるように、部品２６及びプッシュボタン１３が前述の中間位置を越えてそれらの操作完了位置に到達することを可能にする。この操作完了位置では、ロック部材３１は、ロック部材３２との係合を解除されてトレイ７は従って固定されない状態である。こうしてトレイ７は、ブリスター８を露出させるために外側にスライド移動させられることが可能である（図８）。こうして、孔２４及び止め突起３０との接触面を有するプレート２０の側面２３は、ロック部材３１がロック部材３２との係合を解除されることを妨げるか、又は、そうした係合の解除を可能にするために役立つロック手段を構成する。
【００６２】
側面のプッシュボタン１３がそれらの操作完了位置に保持されている限り、スライドボタン１４は、止め突起３０と孔２４との間の協働によってその操作完了位置で移動を阻止される。ボタン１３、１４が使用者によって放された時点で、ボタン１３、１４はバネ２８、２１によってボタン１３、１４のそれぞれの休止位置まで戻される。トレイ７は、ハウジング１の内部に向かってトレイ７を単に押し戻すことによってそのロック位置まで戻されることが可能である。ハウジング１の側壁６の内面は凹部３３を有する。ロック部材３１、３２は、ボタン１３がそれらの休止位置にある間にトレイ７が押し戻される時に協働する傾斜面３４、３５を有しており（図８参照）、ロック部材３２が、ロック部材３１に係合するそれらのロック位置に戻るまでキャップ９のアーム３６が凹部３３内に外側に変形する。
【００６３】
こうして、上述のような実施形態によれば、本発明は、薬の供給用容器を提供し、前記供給用容器は、
開放端５、側壁６、上壁２及び下壁３を有するハウジング１と、
ハウジング１にスライド自在に装着されて、薬を支持する支持体７と、
ハウジング１に連結される第１ロック手段２７と、
支持体７に連結されて、ハウジング１内に配置される位置に支持体７をロックするために前記第１ロック手段２７に係合する第２ロック手段３２と、
側壁６にそれぞれ設けられており、開放端５を通じたハウジング１の外部への支持体７のスライド移動を可能にするために前記第１ロック手段２７及び前記第２ロック手段３２の係合を解除するように操作可能である第１及び第２ボタン１３と、
第１ロック手段２７と第２ロック手段３２との間の係合を維持する第３ロック手段２３と、
第１及び第２ボタン１３を操作することによって第１ロック手段２７と第２ロック手段３２との係合を解除することを可能にするために第３ロック手段２３に作用するように操作可能な第３ボタン１４と、を備える。
【００６４】
第１及び第２ボタン１３は、第１ロック手段２７と第２ロック手段３２との係合を解除するために第１ロック手段２７に作用するように操作可能であってよい。
【００６５】
第３ボタン１４が休止位置にある時に第１及び第２ボタン１３を操作するための試みがなされた時、第３ロック手段２３は、第１ロック手段２７の移動を阻止するように配置構成されてよい。
【００６６】
第１及び第２ボタン１３はプッシュボタンであってよく、並びに、第３ボタン１４はスライドボタンであってよい。
【００６７】
第３ロック手段２３は、第３ボタン１４を有するスライド自在部２０の両側面であってよく、前記両側面２３は、第３ボタン１４が休止位置にある間に第１及び第２ボタン１３を操作するための試みがなされた時に第１ロック手段２７の止め突起３０の移動を阻止するように配置構成されており、前記両側面２３は、第３ボタン１４が操作完了位置にあるとともに第１及び第２ボタン１３が押し込まれた時に止め突起３０が進入する孔２４を備える。
【００６８】
スライド自在部２０の前記両側面２３は、第１及び第２ボタン１３が押し込まれた時に、第３ボタン１４のその休止位置からその操作完了位置への移動を妨げるため、第１ロック手段２７の止め突起３０によって移動を阻止される止め突起２５をさらに備えてよい。
【００６９】
第２ロック手段３２はキャップ９によって形成されてよく、前記キャップ９は、支持体７に結合されており、支持体７がそのロック位置にある時にハウジング１の開放端５を塞ぐ。
【００７０】
第３ボタン１４はハウジング１の上壁２に設けられてよい。
【００７１】
第１及び第２ボタン１３は、同時に操作された時にのみ第１ロック手段２７と第２ロック手段２７との係合を解除するように配置構成されてよい。
【００７２】
支持体７は、前記薬を包含する少なくとも１つのブリスターカード１０、好適には、前記薬を包含するとともに並んで配置された分離した複数のブリスターカード１０を支持してよい。
【００７３】
図９を参照すると、本発明の第２実施形態に係る子供いたずら防止装置付き薬容器は、上壁４１と、上壁４１に対向する下壁４２と、閉鎖端４３と、閉鎖端４３に対向する開放端４４と、対向する２つの側壁４５と、を有するハウジング４０を備える。ブリスター（図示されず）を支持するトレイ４６は、ハウジング４０の２つの内側縦案内壁４７の間で容器の縦軸線Ａに沿ってハウジング４０内でスライド自在に案内される。図示された例では、ハウジング４０の下壁４２は透明であり、従ってトレイ４６は、容器を下から見た時に目で見ることが可能である。第１実施形態のように、トレイ４６は、容器の閉鎖位置に対応するロック位置をとり（図９）、前記ロック位置においてトレイ４６はハウジング４０内にロックされて、ブリスターへのアクセスが妨げられる。トレイ４６は、ロックを解除されて、ブリスターへのアクセスを許容するために開放端４４を通じてハウジング４０の外部に向かってスライド移動させられることも可能である（容器の開放位置）。トレイ４６はブリスターの下に孔４８を備えており、容器がその開放位置にある時に、ブリスターを押し潰すことによって、ブリスター内に包含された薬が前記孔４８を通じて放出され得る。キャップ４９はトレイ４６の前端に連結される。キャップ４９は、トレイ４６がそのロック位置にある時に開放端４４を塞ぐ。キャップ４９はトレイ４６と一体品の構造を有してよい。
【００７４】
ハウジング４０は、対向する開口を側壁４５に含んでおり、前記開口内にプッシュボタン５０、５１が設けられており、また、ハウジング４０は上壁４１に開口を含んでおり、前記開口内にスライドボタン５２が設けられている。側面のプッシュボタン５０、５１は、ハウジング４０の内部に向かって縦軸線Ａに垂直に移動させられることによって操作可能である。スライドボタン５２は、縦軸線Ａに沿って移動させられることによって操作可能である。容器を開けるために使用者は第１実施形態と同一の一連の操作を実行しなければならず、すなわち、使用者は、
スライドボタン５２を操作する。
次に、スライドボタン５２をその操作完了位置に維持している間に側面のプッシュボタン５０、５１を操作する。
次に、側面のプッシュボタン５０、５１をその操作完了位置に維持している間にトレイ４６を引っ張り出す。
【００７５】
第２実施形態の上述の一連の操作を可能にする内部機構は図１０〜図１５に示されている。側面のプッシュボタン５０、５１は２つのそれぞれの部品５３、５４の一部である。明確化の目的のために図面では部品５３、５４は、異なる線の太さで図示されている。各部品５３、５４は、対応のボタン５０、５１の対向する側面から延びる１対の戻しバネ５５、５６を備える。バネ５５のそれぞれの自由端は一方の案内壁４７の外面を圧迫している。バネ５６のそれぞれの自由端は他方の案内壁４７の外面を圧迫している。各部品５３、５４は、上壁４１の内面上又は内面の近くで、すなわち、ブリスター及び上壁４１の間で、ハウジング４０内に配置されるＵ字形の平坦部５７、５８を備える。Ｕ字形の平坦部５７、５８は、容器の縦軸線Ａに沿って相互に対向するように方向付けられている。各Ｕ字形の平坦部５７、５８は、トレイ４６の一方の側面に設けられた対応のボタン５０、５１を、トレイ４６の他方の側面に設けられたロック部材５９、６０に連結することが可能なように幅広である。各ロック部材５９、６０は、平坦部５７、５８から下壁４２に向かって突き出るフックの形状である。容器の閉鎖位置では、各ロック部材５９、６０は、トレイ４６をロックするためにトレイ４６のそれぞれの側面に形成されたそれぞれの切り欠き６１、６２に係合する（図９及び図１０）。
【００７６】
各部品５３、５４は、Ｕ字形の平坦部５７、５８と同一の平面内に配置される部分６３、６４をさらに備えており、前記部分６３、６４は、ボタン５０、５１により近接したＵ字形の平坦部５７、５８の２つの脚部の一方から容器の縦軸線Ａに垂直な方向にハウジング４０の内部に向かって突き出ている。各突出部分６３、６４は、縦軸線Ａに平行な方向に整列した歯６５、６６によって終端をなしている。スライドボタン５２は、使用者に直接的にアクセス可能であるために上壁４１の外面に配置された外側部（点線で図示される）と、ハウジング４０内に配置されて案内される内側部６７と、を備える。部品５４と一体品の構造を有してよい戻しバネ６８は、その一端でＵ字形の平坦部５８に取り付けられており、その他端でスライドボタン５２の内側部６７に取り付けられている。内側部６７は、その一方の側面に第１歯６９と、その他方の側面に第２歯７０と、を備える。スライドボタン５２及び側面のボタン５０、５１の休止位置では、第１歯６９は部品５３の歯６５同士の間の空間にそれぞれ面しているものの、歯６５及び歯６９の間には縦軸線Ａに垂直な方向に間隔が設けられているので、第１歯６９は第２歯６５に噛み合わない。同様に、スライドボタン５２及び側面のボタン５０、５１の休止位置では、第２歯７０は部品５４の歯６６同士の間の空間にそれぞれ面しているものの、歯６６及び歯７０の間には縦軸線Ａに垂直な方向に間隔が設けられているので、第２歯７０は第１歯６６に噛み合わない。スライドボタン５２の休止位置では（図１２）、側面のボタン５０、５１が押し込まれれば、部品５３、５４は、縦軸線Ａに垂直な反対方向に移動させられ、すなわち、ロック部材５９、６０が切り欠き６１、６２との係合をそれぞれ解除し始める方向に移動させられる。しかしながら、部品５３、５４の移動は、その移動の中間位置で止められ、前記中間位置は、歯６５、６６が歯６９、７０にそれぞれ噛み合った位置、すなわち、歯６５が歯６９同士の間の空間に進入するとともに歯６６が歯７０同士の間の空間に進入した位置であって歯６５、６６が前記空間の底にある位置である（図１３）。この中間位置では、ロック部材５９、６０は、切り欠き６１、６２との係合を完全に解除されず、及び従ってトレイ４６はロックされたままである。さらに、スライドボタン５２は、歯６９、７０と噛み合う歯６５、６６によってロックされ、及び従って使用者によって操作されることは不可能である。
【００７７】
スライドボタン５２及び側面のボタン５０、５１がそれらの休止位置にある容器の配置（図１２）から、スライドボタン５２は操作されることが可能であり、すなわち、スライドボタン５２が上壁４１の支持面部（図示されず）に当接する位置まで縦軸線Ａに沿って移動させられることが可能である（図１４）。この操作完了位置では、歯６９、７０はもはや突出部分６３、６４の経路上にそれぞれなく、及び従って部品５３、５４は、側面のボタンが押し込まれれば当該側面のボタンの中間位置を越えて移動させられ得る（図１５）。側面のボタン５０、５１の限界位置は、より広くは部品５３、５４の限界位置は、スライドボタン５２の内側部６７の側面に当接する歯６５、６６によって規定されるか、又は、ハウジング４０の内壁４７に当接する側面のボタン５０、５１によって規定される。この限界位置は側面のボタン５０、５１の操作完了位置である。この位置では、ロック部材５９、６０は、切り欠き６１、６２とのそれぞれの係合を完全に解除されている（図１１）。従って、トレイ４６は、ロックから解除され、開放端４４を通じてハウジング４０の外部に引っ張り出されることが可能である。
【００７８】
スライドボタン５２の完全な操作は、側面のボタン５０、５１のロックを解除するために、すなわち、側面のボタン５０、５１がそれらの中間位置を越えることを可能にするために必要であることが注目されるであろう。実際にスライドボタン５２が完全に操作されないなら、歯６９（及び７０のそれぞれ）のいくつかが、突出部材６３（及び６４のそれぞれ）の経路上に残り、その結果、側面のボタン５０、５１を押し込むことが、それら側面のボタン５０、５１の中間位置に側面のボタン５０、５１が止められて、スライドボタン５２がロックされることになる。
【００７９】
側面のボタン５０、５１が、それらの操作完了位置から又はそれらの中間位置から解放されるとすぐに、戻しバネ５５、５６は、側面のボタン５０、５１をそれらの休止位置に戻す。同様に、側面のボタン５０、５１がそれらの休止位置にある場合にスライドボタン５２が解放されるとすぐに、スライドボタン５２は戻しバネ６８によってその休止位置に戻される。側面のボタン５０、５１がそれらの操作完了位置にある時にスライドボタン５２は、図１５に示されるように、突出部分６３、６４によってその操作完了位置に保持される。
【００８０】
図１６は、第１及び第２実施形態の変形例を示しており、前記変形例では、前記単独のスライドボタン１４及び５２は、２つのスライドボタン１４ａ、１４ｂ及び５２ａ、５２ｂによってそれぞれ置き換えられる。これらのスライドボタンは、ハウジングの上壁に配置されており、縦軸線Ａに沿って両方とも操作可能である。内側ロック／ロック解除機構は、部品２０及び６７が、スライドボタンにそれぞれ堅固に結合される２つの別個の独立した部品にそれぞれ分割されて、各々の部品がそれぞれの側面のボタンのためのロック手段を備えること以外は、上述の第１実施形態又は第２実施形態の機構と同一である。
【００８１】
第１実施形態及び第２実施形態の各々では、２つの側面のボタン及び２つの対応のロック部材を有することが好ましいものの、それらのボタンの１つ及び対応の部品をなしとすることも可能である。この場合、特有の一連の操作、すなわち、第１ボタンの操作後の第２ボタンの操作が、トレイのロックを解除するために必要とされるので、高度の安全性がそれでもなお達成されるであろう。前記第１及び第２ボタンが非平行な方向に操作可能である事実は、安全性すなわち子供に対する安全性を高める。さらに、前記第１及び第２ボタンの少なくとも一方は、ハウジングの対応の壁に対して例えば凹まされることによって隠されることが可能である。
【００８２】
図１７は、本発明の第３実施形態に係る子供用いたずら防止装置付き薬容器を示している。この第３実施形態に係る容器は、ハウジング（図示されず）と、ブリスターを支持するトレイ（図示されず）と、開放機構と、を備えており、前記開放機構は、スライドボタン８０と、側面のプッシュボタン８３、８４をそれぞれ形成する部品８１、８２と、を有する。ハウジング、トレイ及び部品８１は、第２実施形態のハウジング４０、トレイ４６及び部品５３とそれぞれ同一である。特に、部品８１は、第２実施形態の突出部６３とその歯６５とに対応して、歯８６によって終端をなす突出部８５を備える。部品８２は、突出部６４を有しないものの歯８８によって終端をなす別の突出部８７を有する点で第２実施形態の部品５４と異なっており、前記突出部８７は、他方の部品８１の突出部８５とスライドボタン８０の同一の側面に配置されている。スライドボタン８０は、歯７０を有しないものの第２実施形態の歯６９と同一の歯８９に加えて、歯８９と同一の側面に配置される歯９０を備える点で、第２実施形態のスライドボタン５２と異なっている。
【００８３】
ボタン８０、８３、８４の休止位置では、歯９０は、スライドボタン８０がロックされるように歯８８によって噛み合わせられる。さらに、側面のボタン８３は、スライドボタン８０によってロックされており、すなわち、歯８６が歯８９に噛み合う中間位置であって、参照符号９１によって明示される対応のロック部材が依然としてトレイの対応のロック切り欠きに係合する中間位置を越えて操作されることは不可能である。側面のボタン８４を押し込むことは、歯８８の歯９０との噛み合いを解除し、スライドボタン８０を解放する（図１８）。このことは、参照符号９２で明示される部品８２のロック部材をトレイの対応のロック切り欠きから係合解除もする。しかしながら、この段階で、トレイは、トレイの対応のロック切り欠きと依然として係合している部品８１のロック部材９１によってロックされたままである。側面のボタン８４が操作されている間にスライドボタン８０を操作することは、側面のボタン８３のロックを解除し、前記側面のボタン８３は、その後、トレイの対応のロック切り欠きからそのロック部材１９の係合が完全に解除される位置までその中間位置を越えて押し込まれることが可能である（図１９）。側面のボタン８３、８４の両方がそれらの操作完了位置にある配置では、トレイのロックは解除されており、従って、トレイはハウジングから外側にスライド移動させられることが可能である。
【００８４】
こうして、第３実施形態では、トレイのロックを解除してトレイを移動させるため、決定された順番で使用者によって４つの動作が実行されなければならない。このことは、第１及び第２実施形態における動作より動作が１つ多い。従って、子供に対する安全性はさらに向上する。
【００８５】
この第３実施形態の変形例では、ロック部材９２はなくされてもよく、かつ、トレイはロック部材９１によってのみロックされることが可能である。
【００８６】
本発明の３つすべての実施形態では、側面のプッシュボタン１３、５０、５１、８３、８４は、ハウジングと一体品の構造であってよく、及び、ハウジングの側壁に形成された切り抜きによって形成されてハウジングの残余部に弾性的にヒンジ式に連結されるタブの形態であってもよい。
【００８７】
さらに、ハウジングは、平行六面体の形状の他に別の形状、例えば円筒形状を有することが可能である。ボタンは、トレイから独立して操作可能であって、互いに対して移動自在なそれぞれ別個の部品の一部であるので、容器の設計にあたって大きな柔軟性が達成される。
【００８８】
本発明に係る薬容器はプラスチックから形成されてよい。代わりに、薬容器、その薬容器の一部及び／又はブリスターは発光材料から形成されることが可能である。
【００８９】
本発明は、ブリスター内に収容される薬用の容器に限定されないことが理解されるであろう。薬は、トレイ内又はその他の容器内に自由に配置され得る。代わりに、薬は、トレイ内又は他の容器内に固定されずに配置されるブリスター内に収容され得る。注射器などのような液体の薬容器を収容するために本発明に係る容器を使用することも構想され得る。
【００９０】
本発明の薬容器は、子供に適切でないことがあるか又は危険であり得るタブレットなどのような調剤薬に好適に使用される。従って、薬容器は、抗ガン剤、即時の中毒作用を有する薬、又は、特にクラドリビンやその派生物といったプリン類似体のような免疫系への作用を有する薬に非常に好適に使用される。クラドリビンは、多発性硬化症（欧州特許出願公開第６２６８５３号明細書）及びガンの処置に有益であることが提案されてきた塩素化プリン類似体である。
【００９１】
本発明は一例としてのみ上で説明された。特許請求の範囲に記載されたような発明から逸脱せずに修正がなされてよいことは当業者には明らかであろう。添付の特許請求の範囲では、括弧内の参照符号は、解釈を容易にするために挿入された。しかしながら、これらの参照符号は、特許請求の範囲を限定するように決して解釈されるべきではない。
【図１】
0005497733.tif 000002
【図２】
0005497733.tif 000003
【図３】
0005497733.tif 000004
【図４】
0005497733.tif 000005
【図５】
0005497733.tif 000006
【図６】
0005497733.tif 000007
【図７】
0005497733.tif 000008
【図８】
0005497733.tif 000009
【図９】
0005497733.tif 000010
【図１０】
0005497733.tif 000011
【図１１】
0005497733.tif 000012
【図１２】
0005497733.tif 000013
【図１３】
0005497733.tif 000014
【図１４】
0005497733.tif 000015
【図１５】
0005497733.tif 000016
【図１６】
0005497733.tif 000017
【図１７】
0005497733.tif 000018
【図１８】
0005497733.tif 000019
【図１９】
0005497733.tif 000020